(57)【要約】【課題】、冷陰極蛍光フラットランプを、外部からの不適切な力による損傷から防止する。【解決手段】冷陰極蛍光フラットランプ２００は、主に、第１プレート２１０と、第２プレート２２０と、蛍光物質２３０と、放電ガス２４０と、複数の電極２５０とを具える。ここで、第１プレート２１０は、複数の矩形タイプの第１の溝２１２を有し、第２のプレート２２０は、第１プレート２１０の上に配置され、その結果、第１の溝２１２は、複数の気密チャンバ２１４を構成することができる。【選択図】図３
2004311425.tif 000002
【特許請求の範囲】
【請求項１】
複数の溝を有する第１プレートと、
これらの溝が複数の気密チャンバを構成するように前記第１プレート上に配置された第２プレートと、
前記気密チャンバの内壁の一部又は全ての上に配置された蛍光物質と、
前記気密チャンバの内側に配置された放電ガスと、
前記気密チャンバの両側にそれぞれ設けられた複数の電極とを具えることを特徴とする冷陰極蛍光フラットランプ。
【請求項２】
前記第１プレート及び前記第２プレートを、ガラスのような材料で構成したことを特徴とする請求項１記載の冷陰極蛍光フラットランプ。
【請求項３】
前記放電ガスが希ガスを含むことを特徴とする請求項１記載の冷陰極蛍光フラットランプ。
【請求項４】
前記希ガスが、Ｘｅ，Ｎｅ又はＡｒを含むことを特徴とする請求項３記載の冷陰極蛍光フラットランプ。
【請求項５】
前記電極を金属電極によって構成したことを特徴とする請求項１記載の冷陰極蛍光フラットランプ。
【請求項６】
前記金属電極が、ニッケル電極、銀電極、銅電極、モリブデン電極又はニオブ電極を具えることを特徴とする請求項５記載の冷陰極蛍光フラットランプ。
【請求項７】
前記溝が、前記第１プレートの一端に平行に延在することを特徴とする請求項１記載の冷陰極蛍光フラットランプ。
【請求項８】
前記溝が、前記第１プレートの一端から所定の角度傾斜した方向に延在することを特徴とする請求項１記載の冷陰極蛍光フラットランプ。
【請求項９】
前記溝が、矩形溝又は円弧溝を具えることを特徴とする請求項１記載の冷陰極蛍光フラットランプ。
【請求項１０】
少なくとも一つの接続溝を更に具え、その接続溝を前記溝間に形成して、前記溝を互いに接続したことを特徴とする請求項１記載の冷陰極蛍光フラットランプ。
【請求項１１】
前記接続溝の幅を０．１ｍｍ〜１０ｍｍとし、前記接続溝の深さを０．１ｍｍ〜５ｍｍとしたことを特徴とする請求項１０記載の冷陰極蛍光フラットランプ。
【請求項１２】
前記第１プレートの底面を反射表面としたことを特徴とする請求項１記載の冷陰極蛍光フラットランプ。
【請求項１３】
前記第２プレートの底面を拡散表面としたことを特徴とする請求項１記載の冷陰極蛍光フラットランプ。
【請求項１４】
インピーダンス装置を更に具え、そのインピーダンス装置を前記電極上に配置し、前記インピーダンス装置を、抵抗、キャパシタ又はインダクタとしたことを特徴とする請求項１記載の冷陰極蛍光フラットランプ。
【請求項１５】
複数の第１の溝を有する第１プレートと、
複数の第２の溝を有し、前記第１プレート上に配置され、前記第２の溝が前記第１の溝にそれぞれ対応し、前記第１の溝及び前記第２の溝が複数の気密チャンバを構成するようにした第２プレートと、
前記気密チャンバの内壁の一部又は全ての上に配置された蛍光物質と、
前記気密チャンバの内側に配置された放電ガスと、
前記気密チャンバの両側にそれぞれ配置された複数の電極とを具えることを特徴とする冷陰極蛍光フラットランプ。
【請求項１６】
前記第１プレート及び前記第２プレートを、ガラスのような材料から構成したことを特徴とする請求項１５記載の冷陰極蛍光フラットランプ。
【請求項１７】
前記放電ガスが希ガスを含むことを特徴とする請求項１５記載の冷陰極蛍光フラットランプ。
【請求項１８】
前記希ガスが、Ｘｅ，Ｎｅ又はＡｒを含むことを特徴とする請求項１７記載の冷陰極蛍光フラットランプ。
【請求項１９】
前記電極を金属電極によって構成したことを特徴とする請求項１５記載の冷陰極蛍光フラットランプ。
【請求項２０】
前記金属電極が、ニッケル電極、銀電極、銅電極、モリブデン電極又はニオブ電極を具えることを特徴とする請求項１９記載の冷陰極蛍光フラットランプ。
【請求項２１】
前記第１の溝及び前記第２の溝が、前記第１プレートの一端に平行に延在することを特徴とする請求項１５記載の冷陰極蛍光フラットランプ。
【請求項２２】
前記第１の溝及び前記第２の溝が、前記第１プレートの一端から所定の角度傾斜した方向に延在することを特徴とする請求項１５記載の冷陰極蛍光フラットランプ。
【請求項２３】
少なくとも一つの接続溝を更に具え、その接続溝を前記第１の溝の間に形成して、前記第１の溝を互いに接続したことを特徴とする請求項１５記載の冷陰極蛍光フラットランプ。
【請求項２４】
前記第１の溝及び前記第２の溝が、矩形溝又は円弧溝を具えることを特徴とする請求項１５記載の冷陰極蛍光フラットランプ。
【請求項２５】
少なくとも一つの接続溝を更に具え、前記接続溝を前記第２の溝の間に形成して、前記第２の溝を互いに接続したことを特徴とする請求項１５記載の冷陰極蛍光フラットランプ。
【請求項２６】
前記接続溝の幅を０．１ｍｍ〜１０ｍｍとし、前記接続溝の深さを０．１ｍｍ〜５ｍｍとしたことを特徴とする請求項２５記載の冷陰極蛍光フラットランプ。
【請求項２７】
前記第１プレートの底面を反射表面としたことを特徴とする請求項１５記載の冷陰極蛍光フラットランプ。
【請求項２８】
前記第２プレートの底面を拡散表面としたことを特徴とする請求項１５記載の冷陰極蛍光フラットランプ。
【請求項２９】
インピーダンス装置を更に具え、そのインピーダンス装置を前記電極上に配置し、前記インピーダンス装置を、抵抗、キャパシタ又はインダクタとしたことを特徴とする請求項１５記載の冷陰極蛍光フラットランプ。
【請求項３０】
複数の波の山及び複数の波の谷を有する波型構造と、
前記波の谷に配置されて、複数の第１の気密チャンバを前記波型構造との間で形成した第１プレートと、
前記波の山に配置されて、複数の第２の気密チャンバを前記波型構造との間で形成した第２プレートと、
前記第１の気密チャンバと前記第２の気密チャンバの内壁の一部又は全ての上に配置された蛍光物質と、
前記第１の気密チャンバ及び前記第２の気密チャンバの内部に配置された放電ガスと、
前記第１の気密チャンバ及び前記第２の気密チャンバの両側にそれぞれ配置された複数の電極とを具えることを特徴とする冷陰極蛍光フラットランプ。
【請求項３１】
前記第１プレート及び前記第２プレートを、ガラスのような材料から構成したことを特徴とする請求項３０記載の冷陰極蛍光フラットランプ。
【請求項３２】
前記放電ガスが希ガスを含むことを特徴とする請求項３０記載の冷陰極蛍光フラットランプ。
【請求項３３】
前記希ガスがＸｅ，Ｎｅ又はＡｒを含むことを特徴とする請求項３２記載の冷陰極蛍光フラットランプ。
【請求項３４】
前記電極を金属電極から構成したことを特徴とする請求項３０記載の冷陰極蛍光フラットランプ。
【請求項３５】
前記金属電極が、ニッケル電極、銀電極、銅電極、モリブデン電極又はニオブ電極を具えることを特徴とする請求項３４記載の冷陰極蛍光フラットランプ。
【請求項３６】
少なくとも一つの接続溝を更に具え、前記接続溝を前記波型構造上に形成して、前記第１気密チャンバ及び前記第２気密チャンバを互いに接続したことを特徴とする請求項３０記載の冷陰極蛍光フラットランプ。
【請求項３７】
前記接続溝の幅を０．１ｍｍ〜１０ｍｍとし、前記接続溝の深さを０．１ｍｍ〜５ｍｍとしたことを特徴とする請求項３６記載の冷陰極蛍光フラットランプ。
【請求項３８】
前記第１プレートの底面を反射表面としたことを特徴とする請求項３０記載の冷陰極蛍光フラットランプ。
【請求項３９】
前記第２プレートの底面を分散表面としたことを特徴とする請求項３０記載の冷陰極蛍光フラットランプ。
【請求項４０】
インピーダンス装置を更に具え、そのインピーダンス装置を前記電極上に配置し、前記インピーダンス装置を、抵抗、キャパシタ又はインダクタとしたことを特徴とする請求項３０記載の冷陰極蛍光フラットランプ。
【発明の詳細な説明】
【技術分野】
【０００１】
本発明は、一般に、冷陰極蛍光フラットランプ（ＣＣＦＦＬ）に関し、更に詳しくは、高構造強度を有するとともに均等に分配された面光源を提供することができる冷陰極蛍光フラットランプに関する。
【背景技術】
【０００２】
移動電話、デジタルカメラ、デジタルビデオカムコーダ、ノートブックコンピュータ、デスクトップコンピュータ等のデジタルツールは全て、便利さ、多様性及び更に美しい外観の傾向に沿って開発されてきた。しかしながら、デジタルカメラ、デジタルビデオカムコーダ、ノートブックコンピュータ及びデスクトップコンピュータで用いられるディスプレイは、必然的に人とマシンとの通信インタフェースとなり、上記製品のディスプレイを通じて、ユーザの操作が更に手ごろになる。近年、大抵のデジタルカメラ、デジタルビデオカムコーダ、ノートブックコンピュータ及びデスクトップコンピュータのディスプレイに対する主流として、ＬＣＤパネルが使用されている。しかしながら、ＬＣＤは、それ自体の発光の機能が欠如しているので、光源を設けるためにバックライトモジュールをＬＣＤパネルの下に形成し、ディスプレイの目的を達成する必要がある。
【発明の開示】
【発明が解決しようとする課題】
【０００３】
通常、従来のバックライトモジュールは、主に、ランプと、ホルダと、導光板（ＬＧＰ）とを具える。上記導光板は、ランプから出射された直線光を面光源のタイプに変換することができる。ランプは、通常、導光板の一方の側に配置されているので、導光板によって設けられた平面光源は、均一に分布されない。したがって、複数の光学的なプレート（例えば、散乱板、光増強板(light enhancement plate)等）を、導光板の光出射面に配置する必要がある。しかしながら、導光板及び光学的なプレートが廉価でないので、バックライトモジュールのコストが増大する。さらに、ランプ、ホルダ及び導光板の各々が独立した構成要素であるので、フレームを、上記ランプ、ホルダ及び導光板を保持し及び固定するよう形成する必要がある。これまで説明したように、そのようなタイプのバックライトモジュールがアッセンブリにおいて複雑となるとともにそのアッセンブリのコストを更に減少できないことが知られている。
【０００４】
上記考察に基づいて、従来の冷陰極蛍光フラットランプが開発されている。冷陰極蛍光フラットランプは、良好な照明効率及び均一な分布の特徴があり、大きなサイズの平面光源を提供することができるので、冷陰極蛍光フラットランプは、ＬＣＤパネルのバックライト源として及び他のアプリケーションの分野において広く用いられている。
【０００５】
冷陰極蛍光フラットランプは、プラズマ照明素子の一種である。陰極から電子が取り出された後、電子は、気密チャンバの陰極と陽極との間の希ガスに衝突し、ガスがイオン化され及び励起されてプラズマを形成する。その後、プラズマによって励起された原子は、紫外光を放射することによって安定状態に戻り、放射された紫外光は、冷陰極蛍光フラットランプの内側の蛍光物質を励起して、可視光を発生する。
【０００６】
図１は、従来の冷陰極蛍光フラットランプの正面図を線形的に示す。図２は、図１の断面線Ａ−Ａから見た断面図を線形的に示す。図１，２を参照すると、従来の冷陰極蛍光フラットランプは、主に、プレート１１０と、プレート１２０と、複数のエッジストリップ１３０と、蛍光物質１４０と、放電ガス１５０と、複数の電極１６０とを具える。ここで、プレート１１０及びプレート１２０を、ガラス又は他の透明材料のような材料によって構成する。エッジストリップは、プレート１１０とプレート１２０との間に配置され、プレート１１０及びプレート１２０に接続されて、プレート１１０及びプレート１２０との間に気密チャンバ１７０を形成する。
【０００７】
冷陰極蛍光フラットランプ１００の照明中、主に電極１６０によって駆動され及び電極１６０から注入された電子は、チャンバ１７０内の放電ガスに衝突し、放電ガス１５０はイオン化及び励起されて、プラズマを形成する。プラズマ内で励起された原子は、紫外光を放出することによって安定状態に戻り、紫外光放出によって、プレート１１０及びプレート１２０の内壁の蛍光物質１４０を励起して、可視光を発生する。
【０００８】
従来の冷陰極蛍光フラットランプが、均等に分布した面光源を提供できるとしても、それを、大型の面光源を提供するのに用いる場合、エッジストリップは、プレート間のガスを維持するのに用いられる唯一の構成要素であり、したがって、中央領域の構造は、幾分弱く、外部からの不適切な力によって容易に損傷される。したがって、プレートの厚さを増大するのが通常であるが、そのような方法が全体の構造強度を増大するとしても、厚さの増大の結果として冷陰極の透明度が劣化するので、冷陰極フラットランプの明るさが低下する。
【０００９】
従来の冷陰極蛍光フラットランプにおいては、プレートの厚さの増大の他に、複数のスペーサを２枚のプレート間に挿入して、中央領域の構造強度を増大するとともに、大気又は外部から他の不適切な力に対して冷陰極蛍光フラットランプを支持することができる。しかしながら、そのような方法は、冷陰極蛍光フラットランプの製造を複雑にするとともに、製造コストを増大する。
【課題を解決するための手段】
【００１０】
したがって、本発明の目的は、冷陰極蛍光フラットランプを提供することである。冷陰極蛍光フラットランプは、均一に分布した面光源を提供することができるとともに、冷陰極蛍光フラットランプの全体に亘る構造強度を有効に増大することができ、その結果、冷陰極蛍光フラットランプを、外部からの不適切な力による損傷から防止する。
【発明の効果】
【００１１】
本発明による冷陰極蛍光フラットランプは、主に、第１プレートと、第２プレートと、蛍光物質と、放電ガスと、複数の電極とを具え、第１プレートが、それに形成された複数の溝を有する。第２プレートが第１プレート上に配置されて、溝が複数の気密チャンバを構成する。蛍光物質は、気密チャンバの内壁の一部又は全てに配置される。放電ガスは、気密チャンバの内側に配置される。電極は、気密チャンバの両側にそれぞれ配置される。
【００１２】
本発明は、他の冷陰極蛍光フラットランプも提供する。本発明による冷陰極蛍光フラットランプは、主に、第１プレートと、第２プレートと、蛍光物質と、放電ガスと、複数の電極とを具え、第１プレートが、それに形成された複数の溝を有し、第２プレートも、それに形成された複数の溝を有する。第２プレートは、第１プレート上に配置され、第２の溝は、第１の溝にそれぞれ対応し、その結果、第１の溝及び第２の溝は、複数の気密チャンバを構成する。蛍光材料は、気密チャンバの内壁の一部又は全てに配置される。放電ガスは、気密チャンバの内側に配置される。電極は、気密チャンバの両側にそれぞれ配置される。
【００１３】
本発明は、他の冷陰極蛍光フラットランプも提供する。本発明による冷陰極蛍光フラットランプは、主に、波型構造と、第１プレートと、第２プレートと、蛍光物質と、放電ガスと、複数の電極とを具え、波型構造が、複数の波の山及び谷を有する。第１プレートが波の谷に配置され、その結果、複数の第１の気密チャンバが、波型構造と第１プレートとの間に形成される。第２プレートが波の山に配置され、その結果、複数の第２の気密チャンバが、波型構造と第２プレートとの間に形成される。蛍光物質は、第１の気密チャンバ及び第２の気密チャンバの内壁の一部又は全ての上に配置される。放電ガスは、第１の気密チャンバ及び第２の気密チャンバの内側に配置される。電極は、第１の気密チャンバ及び第２の気密チャンバの両側に配置される。
【００１４】
本発明の好適な実施の形態において、既に説明した第１プレート、第２プレート及び波型構造は、ガラスのような材料から構成される。放電ガスは、Ｘｅ，Ｎｅ，Ａｒのような希ガスである。電極は、ニッケル電極、銀電極、銅電極、モリブデン電極、ニオブ電極のような金属電極である。さらに、電極上にインピーダンス装置を配置することもでき、この場合、インピーダンス装置を、抵抗、キャパシタ又はインダクタとする。
【００１５】
本発明の好適例において、既に説明した第１の溝及び第２の溝を、例えば、矩形又は円弧溝とし、第１の溝及び第２の溝が、第１プレートの一端に平行に延在し、第１の溝及び第２の溝が、第１プレートの一端から所定の角度傾斜した方向に延在する。
【００１６】
さらに、一つ以上の接続溝を第１の溝間に配置することができ、その結果、第１の溝の各々を互いに接続することができる。同様に、一つ以上の接続溝を第２の溝間に配置することができ、その結果、第２の溝の各々を互いに接続することができる。さらに、冷陰極蛍光フラットランプが、波型構造を２枚のプレートに結び付けるタイプに属する場合、一つ以上の接続溝を波型構造上に形成することもでき、その結果、波型構造は、第１プレートと第２プレートとの間の気密チャンバにそれぞれ接続される。ここで、既に説明した接続溝の幅を、例えば、０．１ｍｍ〜１０ｍｍとし、その深さを、例えば、０．１ｍｍ〜５ｍｍとする。
【００１７】
接続溝を形成することによって、冷陰極蛍光フラットランプが真空ステップを実行するとき、冷陰極蛍光フラットランプの内側の全てのエアを一度で完全に抜き、放電エアを一度で冷陰極蛍光フラットランプに注入し、その結果、製造工程が簡単になる。
【００１８】
本発明の好適例において、第１プレートの底面を反射面として設計することができ、第２プレートの底面を散乱面として設計することができる。これら反射面及び散乱面を用いることによって、冷陰極フラットランプの発光効率を向上することができる。
【００１９】
本発明によれば、複数の溝がプレート上に形成され、その結果、第１プレートの表面は第２プレートを支持することができる。また、波型構造を第１プレート及び第２プレートによって結び付けることができ、その結果、波型構造は第１プレート及び第２プレートを支持することができる。したがって、冷陰極蛍光フラットランプは、その厚さを更に減少するとともにその構造強度を増大することができ、その結果、冷陰極蛍光フラットランプが外部からの不適切な力によって損傷されるのを防止する。さらに、既に説明した溝又は波型構造の設計を用いることによって、プレートの表面を支持表面として用いることができ、したがって、エッジストリップやスペーサのような構成要素を更に配置する必要がなくなる。したがって、それは、コストを削減するとともに製造工程を簡単にする。
【発明を実施するための最良の形態】
【００２０】
図３は、本発明による第１の好適な実施の形態の冷陰極蛍光フラットランプの正面図を線図的に示す。図４は、図３の断面線Ｂ−Ｂから見た断面図を線図的に示す。図３，４を参照すると、本実施の形態の冷陰極蛍光フラットランプ２００は、主に、第１プレート２１０と、第２プレート２２０と、蛍光物質２３０と、放電ガス２４０と、複数の電極２５０とを具える。ここで、第１プレート２１０は、複数の矩形タイプの第１の溝２１２を有し、第２のプレート２２０は、第１プレート２１０の上に配置され、その結果、第１の溝２１２は、複数の気密チャンバ２１４を構成することができる。既に説明した第１プレート２１０及び第２プレート２２０を、ガラス又な他の透明材料のような材料から構成する。
【００２１】
図３，４を参照すると、蛍光物質２３０は、気密チャンバ２１４の内壁に配置され、それを、気密チャンバ２１４の内壁の全て（図示せず。）に配置し、又は気密チャンバ２１４の内壁の一部（図示せず。）に配置する。放電ガス２４０が気密チャンバ２１４に注入され、放電ガス２４０を、Ｘｅ，Ｎｅ，Ａｒのような希ガスとする。電極２５０を、気密チャンバ２１４の両側にそれぞれ配置する。電極２５０を、（図示しない）電源に電気的に結合し、電極２５０を、ニッケル電極、銀電極、銅電極、モリブデン電極又はニオブ電極とする。
【００２２】
冷陰極蛍光フラットランプ２００の照明中、電極２５０によって主に駆動されるとともに電極から注入された電子が、気密チャンバ２１４の放電ガス２４０に衝突し、放電ガス２４０がイオン化され及び励起されてプラズマを形成する。その後、プラズマ中で励起された原子は、紫外光を放出することによって安定状態に戻り、放出された紫外光は、気密チャンバ２１４の内壁の蛍光物質２３０を励起して、可視光を発生する。
【００２３】
さらに、第１プレート２１０及び第２プレート２２０は、ガラス又は他の透明材料の材料によって構成され、第１の溝２１２の各々で発生した可視光が、第１プレート２１０及び第２プレート２２０に伝播する。可視光は、第１プレート２１０及び第２プレート２２０をも通過して、均等に分布した面光源を放出する。第１の溝２１２は、第１プレート２１０の一端に延在し、第１の溝２１２は、第１プレート２１０の一端から所定の角度傾斜した方向に延在する。
【００２４】
上記第１の溝２１２の形状は、所定のタイプに限定する必要がなく、直線溝、水平溝又は傾斜溝とすることもできる。インピーダンス装置２６０を、上記電極２５０の上に配置することもでき、インピーダンス装置２６０を、例えば、電極２５０のインピーダンスを調整する抵抗、キャパシタ又はインダクタとする。
【００２５】
複数の第１の溝２１２が第１プレート２１０に形成されているので、第１プレート２１０の表面を、第２プレート２２０による支持表面として使用し、それは、冷陰極蛍光フラットランプの中央領域の構造強度を増大するよう第１プレート２１０の上に配置され、その結果、外部からの不適切な力による損傷を例陰極蛍光フラットランプから防止することができる。したがって、プレートの厚さを増大し又は他のスペーサを配置する必要がなくなり、したがって、コストが削減される。
【００２６】
さらに、所定の設計を有することによって、プレート製造時にプレートとともに第１の溝２１２を型成形することができ、放電ガス２４０を第１の溝２１２の内部空間に注入することができる。したがって、２枚のプレート間に放電ガスチャンバを構成するためにエッジストリップを必要とせず、その結果、製造工程が簡単になる。
【００２７】
図３に示すように、（図面中に一つだけ示す）一つ以上の接続溝２１６を、第１の溝２１２の間に形成することができ、その結果、第１の溝２１２が互いに接続され、接続溝２１６の幅を、例えば、０．１ｍｍ〜１０ｍｍとし、その深さを、例えば、０．１ｍｍ〜５ｍｍとする。さらに、接続溝２１６は、図３に示すような冷陰極蛍光フラットランプ２００の中央領域を形成するために制約されない。換言すれば、接続溝２１６を、第１の溝２１２の間の任意の適切な位置に形成することができる。接続溝２１６の設計により、冷陰極蛍光フラットランプ２００が真空ステップを実行するに際し、冷陰極蛍光フラットランプ２００の内側の全てのエアを、一度で完全に排出することができ、放電エア２４０を、冷陰極蛍光フラットランプ２００へ一度に注入することもでき、その結果、製造工程が簡単化される。
【００２８】
図５は、本発明による第２の好適な実施の形態の例陰極蛍光フラットランプの正面図を線図的に示す。図５を参照すると、本実施の形態の冷陰極蛍光フラットランプの構造は、第１の好適な実施の形態の構造とほぼ同一であり、したがって、同一構成要素は、ここでは再度説明しない。違いは、複数の矩形タイプの第２の溝２２２が第２プレート２２０の上に形成されるとともに、第１の溝２１２に対応する第２の溝２２２が第１プレート２１０の上に形成されて、複数の気密チャンバ２１８を構成していることである。蛍光物質２３０は、気密チャンバ２１８の内壁の全体の上に堆積しているが、当然、それを、気密チャンバ２１８の内壁の一部の上に堆積してもよい。放電ガス２４０は、上記気密チャンバ２１８に注入される。
【００２９】
対応する第１の溝２１２及び第２の溝２２２が第１プレート２１０及び第２プレート２２０の上に配置されているので、冷陰極蛍光フラットランプの全体に亘る厚さを、同一気密空間の条件の下で更に減少することができる。
【００３０】
図６は、本発明による第３の好適な実施の形態の例陰極蛍光フラットランプの正面図を線図的に示す。本実施の形態の冷陰極蛍光フラットランプの構造は、第１の好適な実施の形態の構造とほぼ同一であり、したがって、同一構成要素は、ここでは再度説明しない。違いは、第１プレート２１０の上に形成された第１の溝２１２のタイプが矩形から円弧に変更されるとともに第１プレート２１０の上の接触表面がオリジナルプレーンタッチスタイル(original plane-touch style)からアークタッチスタイル(arc-touch style)に変更したことであり、その結果、第１プレート２１０はほぼ波形状に形成される。上記第１プレートの接触表面を円弧形状に設計することによって、第１プレート２１０がレンズと同一の機能を有し、蛍光材料２３０を励起することによって発生した可視光を、第２プレートに対向する方向に案内することができる。
【００３１】
さらに、第１プレート２１０の底面を、例えば反射材料の層をコーティングする反射表面２７０として設計することもできる。第２プレート２２０の底面を、複数のｖカット又は複数の窪みを有する表面のような散乱表面２８０として設計することもできる。既に説明した反射表面２７０及び拡散表面２８０の設計によって、冷陰極蛍光フラットランプ２００の照明効率を更に増大することができる。
【００３２】
第１プレート２１０の接触表面が円弧形状として狭くなっているので、気密チャンバ２１４の容量を更に増大することができ、既に説明した放電ガスの排出ステップ又は注入ステップの効率を更に増大することができる。
【００３３】
図７は、本発明による第４の好適な実施の形態の例陰極蛍光フラットランプの正面図を線図的に示す。図８は、図７の断面線Ｃ−Ｃから見た断面図を線図的に示す。図７，８を参照すると、本実施の形態の冷陰極蛍光フラットランプ３００は、主に、波型構造３１０と、第１プレート３２０と、第２プレート３３０と、蛍光物質３４０と、放電ガス３５０と、複数の電極３６０とを具え、波型構造３１０は、複数の波の山３１２及び波の谷３１４を有する。第１プレート３２０は波の谷３１４に配置され、その結果、複数の第１の気密チャンバ３１６が、波型構造３１０と第１プレート３２０との間に形成される。第２プレート３３０は波の山３１２に配置され、その結果、複数の第２の気密チャンバ３１８が、波型構造３１０と第２プレート３３０との間に形成される。
【００３４】
蛍光物質３４０は、第１の気密チャンバ３１６及び第２の気密チャンバ３１８の内壁の一部又は全てに配置される。希ガス（例えば、Ｘｅ，Ｎｅ又はＡｒ）のような放電ガス３５０が、第１の気密チャンバ３１６及び第２の気密チャンバ３１８に注入される。金属電極（例えば、ニッケル電極、銀電極、銅電極、モリブデン電極又はニオブ電極）のような電極３６０は、第１の気密チャンバ３１６及び第２の気密チャンバ３１８の両側にそれぞれ配置される。電極３６０は、（図示しない）電源に電気的に結合されている。また、抵抗や、キャパシタや、インダクタのようなインピーダンス装置３７０を、電極３６０のインピーダンスを調整するために電極３６０の上に堆積することもできる。
【００３５】
冷陰極蛍光フラットランプ３００の照明プロセスは、上記実施の形態の照明プロセスと同一である。電極３６０によって駆動され及び電極３６０から注入された電子は、第１の気密チャンバ３１６及び第２の気密チャンバ３１８の放電ガス３５０に衝突し、放電ガス３５０がイオン化され及び励起されて、プラズマを形成する。その後、プラズマ内で励起された原子は、紫外光を放出することによって安定状態に戻り、放出された紫外光は、第１の気密チャンバ３１６及び第２の気密チャンバ３１８の内壁の蛍光物質３４０を励起して、可視光を発生する。
【００３６】
さらに、蒸気実施の形態と同様に、一つ以上の接続溝３８０を波型構造３１０の上に形成することもでき、その結果、波型構造３１０は、第１プレート３２０と第２プレート３３０との間で気密チャンバの各々に接続される。さらに、上記実施の形態と同様に、第１プレート３２０の底面を反射表面３２２として設計することができ、第２プレート３３０の底面を拡散表面３３２として設計することができる。既に説明したような反射表面３２２及び拡散表面３３２の設計によって、冷陰極蛍光フラットランプの照明効率も向上する。
【００３７】
本発明によれば、波型構造は、第１プレート及び第２プレートに結び付けられ、その結果、波型構造は、第１プレート及び第２プレートを支持することができ、冷陰極蛍光フラットランプの構造強度を増大する目的を達成することができる。
【００３８】
要約すると、本発明の冷陰極蛍光フラットランプは、少なくとも以下の利点を有する。
１．プレート上に設計された溝又は２枚のプレートによって結び付けられた波型構造を用いることによって、プレートの表面が支持され、冷陰極蛍光フラットランプの中央領域の構造強度を増大して、外部からの不適切な力による損傷から冷陰極蛍光フラットランプを防ぐことができる。
２．プレート上に設計された溝又は２枚のプレートによって結び付けられた波型構造を用いることによって、プレートの表面が支持される。したがって、エッジストリップやスペーサのような他の構成要素を必要とせず、コストを削減することができる。
３．プレート上の溝の間に形成され又は波型構造に形成された接続溝を用いることによって、冷陰極蛍光フラットランプが排出ステップを実行する際に、冷陰極蛍光フラットランプ内の全てのエアを、一度で完全に排出することができ、放電エアを、一度で冷陰極蛍光フラットランプに注入することもでき、その結果、製造工程が簡単になり、製造時間が実質的に減少する。
４．プレートの接触表面距離を減少することによって、気密チャンバの容量が増大し、放電エアの排出ステップ及び注入ステップの効率が更に向上する。
５．上側プレートの底面に反射表面を形成するとともに、下側プレートの底面に散乱表面を形成することによって、冷陰極蛍光フラットランプの照明効率が向上する。
【００３９】
本発明は、上記実施の形態に限定されるものではなく、幾多の変更及び変形が可能である。
【図面の簡単な説明】
【００４０】
【図１】従来の冷陰極蛍光フラットランプの正面図を線図的に示す。
【図２】図１の断面線Ａ−Ａから見た断面図を線形的に示す。
【図３】本発明による第１の好適な実施の形態の冷陰極蛍光フラットランプの正面図を線図的に示す。
【図４】図３の断面線Ｂ−Ｂから見た断面図を線図的に示す。
【図５】本発明による第２の好適な実施の形態の例陰極蛍光フラットランプの正面図を線図的に示す。
【図６】本発明による第３の好適な実施の形態の例陰極蛍光フラットランプの正面図を線図的に示す。
【図７】本発明による第４の好適な実施の形態の例陰極蛍光フラットランプの正面図を線図的に示す。
【図８】図７の断面線Ｃ−Ｃから見た断面図を線図的に示す。
【図１】
2004311425.tif 000003
【図２】
2004311425.tif 000004
【図３】
2004311425.tif 000005
【図４】
2004311425.tif 000006
【図５】
2004311425.tif 000007
【図６】
2004311425.tif 000008
【図７】
2004311425.tif 000009
【図８】
2004311425.tif 000010